(57)【要約】【課題】  複数のカバー材を上下に並べるものでも上下に隣り合うカバー材の継ぎ目から雨水が内部に浸入するのを防止できる外装材の接続部の構造を提供する。【解決手段】  外壁本体１の外面に沿って外装材２を並べ、左右に隣り合う外装材２間の継ぎ目にジョイナーＡのベース材６を配置してベース材６を外壁本体１に固定し、ジョイナーＡのカバー材７を左右に隣り合う外装材２の端縁間を覆うように配置すると共にカバー材７の背面に設けた嵌合部８をベース材６に設けた受け部９に嵌合してカバー材７をベース材６に取り付けた外装材の接続部の構造である。これにおいて、複数のカバー材７を上下に並べ、各カバー材７の上端部の外面に他の部分の外面より凹んだ凹段部状の水返し部１１を設けると共に下に位置するカバー材の水返し部１１の上に位置するカバー材７の下端部を重ね合わせる。【選択図】        図１
2005068882.tif 000002
【特許請求の範囲】
【請求項１】
外壁本体の外面に沿って外装材を並べ、左右に隣り合う外装材間の継ぎ目にジョイナーのベース材を配置してベース材を外壁本体に固定し、ジョイナーのカバー材を左右に隣り合う外装材の端縁間を覆うように配置すると共にカバー材の背面に設けた嵌合部をベース材に設けた受け部に嵌合してカバー材をベース材に取り付けた外装材の接続部の構造において、複数のカバー材を上下に並べ、各カバー材の上端部の外面に他の部分の外面より凹んだ凹段部状の水返し部を設けると共に下に位置するカバー材の水返し部の上に上に位置するカバー材の下端部を重ね合わせて成ることを特徴とする外装材の接続部の構造。
【請求項２】
水返し部はカバー材の下端部の重ね合わせる部分の肉厚と同じ厚み分凹ませ、水返し部に重ね合わせる重ね代を１０ｍｍ以上としたことを特徴とする請求項１記載の外装材の接続部の構造。
【請求項３】
水返し部の外面に水止め用として突起または返りまたは水密パッキンを設けたことを特徴とする請求項１記載の外装材の接続部の構造。
【発明の詳細な説明】
【技術分野】
【０００１】
本発明は、外壁本体の外面側に外装材を並べて外装の施工をするとき左右に隣り合う外装材間の継ぎ目を仕舞う外装材の接続部の構造に関するものである。
【背景技術】
【０００２】
従来、建物の外壁本体１の外面側に外装材２を貼る施工をするときは例えば図１１に示すように行われる。外壁本体１の外面側に断熱ボード３を介して胴縁４を取り付けてあり、この胴縁４の外面側に左右及び上下に複数枚の外装材２を並べて取り付けてある。この外装材２は例えば表面に凹凸模様１０を設けた金属板の背面に合成樹脂発泡体を裏打ちした所謂金属サイディング材と称されるものである。外装材２の上端には雄実５を下端には雌実を設けてあり、上下に隣り合う外装材２は雄実５と雌実とを嵌合することで接続してある。
【０００３】
左右に隣り合う外装材２間はベース材６とカバー材７からなるジョイナーＡを介して接続される（例えば、特許文献１の従来技術及び図９参照）。左右に隣り合う外装材２間で外装材２より裏側には胴縁４に沿って上下方向にベース材６が配置されてベース材６が胴縁４に取り付けられ、左右に隣り合う外装材２間で外装材２より表側にはカバー材７が上下方向に配置され、カバー材７の背部に設けた嵌合部８がベース材６に設けた受け部９に嵌合されてカバー材７が取り付けられてカバー材７の両側で外装材２の端縁の外面側が押さえられる。
【０００４】
ジョイナーＡには図１２（ａ）に示すように直線部で接続する平ジョイナーＡ１と図１２（ｂ）に示すように出隅部で接続する出隅ジョイナーＡ２とがある。平ジョイナーＡ１は平板状のベース材６ａと平板状のカバー材７ａとで構成されており、出隅ジョイナーＡ２はＬ字板状のベース材６ｂとＬ字板状のカバー材７ｂとで構成されている。
【特許文献１】特開平１０−１１５０７３号公報
【発明の開示】
【発明が解決しようとする課題】
【０００５】
ところで、凹凸模様１０を有する外装材２の外観と同じ外観の凹凸模様１０を有するようにするために図１３（ａ）に示すように外装材２の上下方向の長さと同じ長さに形成された長尺でない所定長さのカバー材７を上下方向に並べるように施工する場合、上下方向に並べた複数のカバー材７間に夫々継ぎ目ができる。しかし、上下に複数のカバー材７を並べるように施工した場合、上下に隣り合うカバー材７の継ぎ目では図１３（ｂ）に示すように下に位置するカバー材７の上端部の外面に上に位置するカバー材７の下端部を単に重ね合わせているだけである。このため、風雨時等で雨水が吹き上げたとき、上に位置するカバー材７の下端部と下に位置するカバー材７の上端部を単に重ね合わせただけでは重ね合わせた部分の隙間を伝って内部に雨水が浸入するという問題がある。このように外装材２の裏面側に雨水が浸入すると、外装材２の裏面側でかび等が発生し、家屋の損傷等が生じるという問題がある。
【０００６】
本発明は上記の従来の問題点に鑑みて発明したものであって、複数のカバー材を上下に並べるものでも上下に隣り合うカバー材の継ぎ目から雨水が内部に浸入するのを防止できる外装材の接続部の構造を提供することを課題とするものである。
【課題を解決するための手段】
【０００７】
上記課題を解決するために本発明に係る外装材の接続部の構造は、外壁本体１の外面に沿って外装材２を並べ、左右に隣り合う外装材２間の継ぎ目にジョイナーＡのベース材６を配置してベース材６を外壁本体１に固定し、ジョイナーＡのカバー材７を左右に隣り合う外装材２の端縁間を覆うように配置すると共にカバー材７の背面に設けた嵌合部８をベース材６に設けた受け部９に嵌合してカバー材７をベース材６に取り付けた外装材の接続部の構造において、複数のカバー材７を上下に並べ、各カバー材７の上端部の外面に他の部分の外面より凹んだ凹段部状の水返し部１１を設けると共に下に位置するカバー材の水返し部１１の上に位置するカバー材７の下端部を重ね合わせて成ることを特徴とする。凹段部状の水返し部１１を設けてこの水返し部１１に上に位置するカバー材７の下端部を重ね合わせたことにより風雨等で雨水が吹き上げても上下のカバー材７間の継ぎ目に雨水が浸入することなく、カバー材７の外面に伝って流れるものであって、外装材２の裏面側に雨水が浸入するのを防止してかび等の発生で建物が損傷するのを防止できる。
【０００８】
また水返し部１１はカバー材７の下端部の重ね合わせる部分の肉厚と同じ厚み分凹ませ、水返し部１１に重ね合わせる重ね代を１０ｍｍ以上としたことを特徴とすることも好ましい。水返し部１１はカバー材７の下端部の重ね合わせる部分の肉厚と同じ厚み分凹ませたことにより、継ぎ目部分で上下に隣り合うカバー材７の外面が面一になり、雨水が吹き上げても一層継ぎ目に雨水が浸入することなく、カバー材７の外面に沿って雨水が流れる。また水返し部１１に重ね合わせる重ね代を１０ｍｍ以上としたことより、重ね代を充分にとって外装材の２の裏側への雨水の浸入を確実に防止できる。
【０００９】
また水返し部１１の外面に水止め用として突起１２または返り１３または水密パッキン１４を設けたことを特徴とすることも好ましい。この場合、たとえ水返し部１１に雨水が浸入してきても突起１２または返り１３または水密パッキン１４にて雨水の浸入を遮断でき、雨水の浸入を一層確実に防止できる。
【発明の効果】
【００１０】
本発明は上述のように凹段部状の水返し部を設けてこの水返し部に上に位置するカバー材の下端部を重ね合わせたことにより風雨等で雨水が吹き上げても上下のカバー材間の継ぎ目に雨水が浸入することなく、カバー材の外面に伝って流れるものであって、外装材の裏面側に雨水が浸入するのを防止してかび等の発生で建物が損傷するのを防止できるものである。
【発明を実施するための最良の形態】
【００１１】
以下、本発明を添付図面に示す実施形態に基いて説明する。背景技術で述べたように外壁本体１の外面側には断熱ボード３を介して胴縁４を取り付けてあり、この胴縁４の外面側には外装材２が左右及び上下方向に並べて貼られる。この外装材２は例えば表面板２ａが金属板で表面板２ａの裏面側に合成樹脂発泡体を裏打ちして形成される所謂金属サイディング材と称されるものである。表面板２ａには凹凸模様を施すと共に塗装を施して外観模様を形成してある。外装材２の上端には雄実を設けてあり、外装材２の下端には雄実に嵌合し得る雌実を設けてある。そして上下に隣り合う外装材２は雄実と雌実との嵌合にて接続してある。このとき、外装材２の雄実部分から釘、ビス等の固着具を打入して外装材２を胴縁４に固定してある。
【００１２】
左右に隣り合う外装材２の間はジョイナーＡにて上下方向に亙って接続されるようになっている。ジョイナーＡはベース材６とカバー材７とで構成されている。ベース材６はアルミニウムや合成樹脂の押し出し成形品や金属材料の板金加工品にて形成されており、長手方向に同一断面の長尺物に形成されている。このベース材６の表面側には受け部９を長手方向全長に亙って設けてある。この受け部９は一対の平行な突片９ａと一対の突片９ａから内側に返り状に突設した受け爪９ｂとで構成されている。
【００１３】
カバー材７は例えば金属板材の板金加工品にて形成されており、表面には外装材２の表面板２ａと同質の外観模様となるように凹凸模様や塗装を施してある。このカバー材７はベース材６のような長尺物でなく、所定の長さの定尺物であり、例えば外装材２の上下方向の長さと同じ長さに形成してある。カバー材７の裏側には嵌合部８を設けてあり、この嵌合部８は裏側に突設した一対の突片８ａと一対の突片８ａから外側に返り状に突設した嵌合爪８ｂにて形成されている。またカバー材７の両側に裏面には水密材１５を装着してある。
【００１４】
上記ジョイナーＡには直線部で接続する平ジョイナーＡ１と出隅部で接続する出隅ジョイナーＡ２とがある。平ジョイナーＡ１は平板状のベース材６ａと平板状カバー材７ａとで構成されており、出隅ジョイナーＡ２はＬ字板状のベース板６ｂとＬ字板状のカバー材７ｂとで構成されている。
【００１５】
外装材２を貼るとき、左右に隣り合う外装材２間に位置する部分では胴縁４の外面側に沿って上下全長に亙るようにベース材６が配置され、釘、ビス等の固着具にてベース材６が胴縁４に固着される。左右に隣り合う外装材２が同一平面に並ぶ部分では平ジョイナーＡ１のベース材６ａが胴縁４に取り付けられ、左右に隣り合う外装材２が直角に隣り合う出隅部分では出隅ジョイナーＡ２のベース材６ｂが胴縁４に取り付けられる。このようにベース材６を取り付けた後に外装材２が貼られるのであるが、ベース材６の受け部９を隣り合う外装材２の端部間に挟んで外装材２の端縁がベース材６の上に重ねられる。
【００１６】
外装材２を貼った後にジョイナーＡのカバー材７が取り付けられるのであるが、平ジョイナーＡ１のカバー材７ａを取り付ける場合次のように取り付けられる。複数個のカバー材７ａは下から上に向けて順に取り付けられるものであり、各カバー材７ａを取り付けるとき図４に示すように嵌合部８が隣り合う外装材２の側端間の隙間から受け部９に挿入され、嵌合部８の嵌合爪８ｂと受け部９の受け爪９ｂが嵌合係止される。出隅ジョイナーＡ２のカバー材７ｂを取り付ける場合も上記と同様に次のように取り付けられる。複数個のカバー材７ｂは下から上に向けて順に取り付けられるものであり、各カバー材７ｂを取り付けるとき、図５に示すように嵌合部８が直角に隣り合う外装材２の側端間の隙間から受け部９に挿入され、嵌合部８の嵌合爪８ｂと受け部９の受け爪９ｂとが嵌合係止される。
【００１７】
上記のようにカバー材７が取り付けられるが、本発明では図１（ａ）や図２（ｂ）に示すように各カバー材７の上端部に他の部分の外面より裏側に凹没した凹段部状の水返し部１１を設けてある。そして上下に複数のカバー材７を並べて取り付けるとき、図１（ｂ）や図２（ｂ）に示すように下に位置するカバー材７の水返し部１１に上に位置するカバー材７の下端部が重ね合わせられる。このとき凹段部状の水返し部１１に上に位置するカバー材７の下端部が納まるように重ね合わせられるため、風雨等で雨水が吹き上げても継ぎ目に雨水が浸入しにくく、カバー材７の外面に伝って雨水が流れる。従って外装材５の裏側に雨水が浸入しにくく、かび等が発生して建物が損傷するのを防止できる。
【００１８】
また水返し部１１はカバー材７の下端部の重ね合わせる部分の肉厚と同じ厚み分凹ませることが好ましい。このようにすると、継ぎ目部分で上下に隣り合うカバー材７の外面が面一になり、雨水が吹き上げても一層継ぎ目に雨水が浸入することなく、カバー材７の外面に沿って雨水が流れる。また水返し部１１に重ね合わせる重ね代ｈは１０ｍｍ以上とすることが好ましい。このようにすうと、重ね代を充分にとって外装材２の裏側への雨水の浸入を確実に防止できる。
【００１９】
図１（ａ）では水返し部１１が単に平板状に形成してあるが、図３（ａ）に示すように水返し部１１にプレス成形等で幅方向に亙る突起１２を設けても、図３（ｂ）に示すようにベンダー加工やプレス成形にて幅方向に亙る返り１３を設けても、図３（ｃ）に示すようにＥＰＤＭのような水密パッキン１４を幅方向に亙るように装着してもよい。この場合、たとえ水返し部１１に雨水が浸入してきても水止め用の突起１２または返り３または水密パッキン１４にて雨水の浸入を遮断でき、雨水の浸入を一層確実に防止できる。
【００２０】
次に平ジョイナーＡ１のカバー材７ａの具体的な例を図６により説明する。カバー材７ａの両側の裏面側には側部折り返し片１７を設けてあり、側部折り返し片１７間に嵌合部８を設けてある。カバー材７ａの上端となる一端には側部折り返し片１７がなくてカバー材７ａの表面より一段凹没した凹段部状の水返し部１１を連出してあり、水返し部１１の先端の中央から裏側に突出部１８を連出してある。この突出部１８から端部方向に突出する設置片２０を突設してあり、設置片２０には透孔２１を貫通するように形成してある。カバー材７ａの下端となる他端には裏側に折り返した下部折り返し片２７を設けてあり、この下部折り返し片２７より裏側に位置するように側部折り返し片１７を設けてあり、下部折り返し片２７と側部折り返し片１７との間に水返し部１１を挿入し得る挿入隙間２２を形成してある。カバー材７ａの下端側である他端側の裏面には嵌合部８を設けていない切り欠き部２３を設けてある。この切り欠き部２３を設けてある部分では側部折り返し片１７に窓部２４を設けてあり、この窓部２４が突出部１８を挿通し得る幅にしてある。カバー材７ａの両側の側部折り返し片１７の裏面側には一端から他端に亙るように水密材１５を装着してある。
【００２１】
外装材２を貼った後に上記カバー材７ａを取り付ける場合、次のように取り付けられる。複数個のカバー材７ａは下から上に向けて順に取り付けられるものであり、各カバー材７ａを取り付けるとき、図４に示すように嵌合部８が隣り合う外装材２の側端間の隙間から受け部９に挿入され、嵌合部８の嵌合爪８ｂと受け部９の受け爪９ｂとが嵌合係止される。各カバー材７ａの設置片２０は受け部９上に位置させられ、設置片２０の透孔２１から釘、ビス等の固着具が挿入され、固着具の先端がベース材６ａを介して胴縁４に打入されて設置片２０が固定される。このように設置片２０を固着具にて固着することで、カバー材７ａが長手方向に動かないように固定できる。上下に隣り合うカバー材７ａ間では下に位置するカバー材７ａの水返し部１１が上に位置するカバー材７ａの挿入隙間２２内に挿入されるように上に位置するカバー材７ａの下端部が下に位置するカバー材７ａの水返し部１１及び設置片２０に被せられる。このようにして図７に示すように上に位置するカバー材７ａの下端部が凹段部状の水返し部１１に被せられることにより風雨等による雨水の吹き上げでも上下のカバー材７ａの継ぎ目から雨水が浸入することがなく、カバー材７ａの外面を伝って流れる。
【００２２】
次に出隅ジョイナーＡ２のカバー材７ｂの具体的な例を図８、図９により説明する。カバー材７ｂの両側の裏面側には側部折り返し片１７を設けてあり、側部折り返し片１７間に嵌合部８を設けてある。カバー材７ｂの上端となる一端には側部折り返し片１７がなくてカバー材７ｂの表面より一段凹没した凹段部状の水返し部１１を設けてあり、水返し部１１の先端部には水返し部１１よりさらに凹没した設置片２０を両側間に架設するように設けてあり、設置片２０に透孔２１を穿孔してある。設置片２０の両側には裏側に凸曲するように案内部２５を突設してある。カバー材７ｂの下端となる他端には裏側に折り返した下部折り返し片２７を設けてあり、下部折り返し片２７より裏側に位置するように側部折り返し片１７を設けてあり、下部折り返し片２７と側部折り返し片１７との間には挿入隙間２２を形成してある。カバー材７ｂの下端側である他端側の裏面には嵌合部８を設けていない切り欠き部２３を設けてある。この切り欠き部２３を設けてある部分では側部折り返し片１７に窓部２４を設けてある。
【００２３】
出隅ジョイナーＡ２のカバー材７ｂを取り付ける場合も上記と同様に次のように取り付けられる。複数個のカバー材７ｂは下から上に向けて順に取り付けられるものであり、各カバー材７ｂを取り付けるとき、図５に示すように嵌合部８が直角に隣り合う外装材２の側端間の隙間から受け部９に挿入され、嵌合部８の嵌合爪８ｂと受け部９の受け爪９ｂとが嵌合係止される。このとき設置片２０の両側に設けた案内部２５が受け部９にガイドされて出隅でも嵌合部８の位置が受け部９の位置が合致しやすく、嵌合爪８ｂと受け爪９ｂとをスムーズに嵌合係止できる。設置片２０は案内部２５でガイドされて受け部９上に位置させられ、設置片２０の透孔２１から釘、ビス等の固着具が挿入され、固着具の先端がベース材を介して胴縁４に打入されて設置片２０が固定される。このように設置片２０を固着具にて固着するとカバー材７ｂが長手方向に動かないように固定できる。上下に隣り合うカバー材７ｂ間では下に位置するカバー材７ｂの水返し部１１が上に位置するカバー材７ｂの挿入隙間２２に挿入されるように上に位置するカバー材７ｂの下端部が下に位置するカバー材７ｂの水返し部１１及び設置片２０に被せられる。このようにして図１０に示すように上に位置するカバー材７ｂの下端部が凹段部状の水返し部１１に被せられることにより風雨等による雨水の吹き上げでも上下のカバー材７ｂの継ぎ目から雨水が浸入することがなく、カバー材７ｂの外面を伝って流れる。
【図面の簡単な説明】
【００２４】
【図１】（ａ）は本発明の実施の形態の一例のカバー材の上端部の構造を示す概略斜視図、（ｂ）は上下に隣り合うカバー材を接続した状態の概略斜視図である。
【図２】（ａ）は同上の他の例のカバー材の上端部の構造を示す概略斜視図、（ｂ）は上下に隣り合うカバー材を接続した状態の概略斜視図である。
【図３】（ａ）（ｂ）（ｃ）は同上の他の例のカバー材の上端の構造を示す概略斜視図である。
【図４】同上の外装材を接続した状態の一例を示す断面図である。
【図５】同上の外装材を接続した状態の他例を示す断面図である。
【図６】同上のカバー材の具体的な構造の一例を示し、（ａ）は一部切欠平面図、（ｂ）は一部切欠正面図、（ｃ）は（ｂ）のＢ−Ｂ線断面図、（ｄ）は（ｂ）のＣ−Ｃ線断面図である。
【図７】同上のカバー材を上下に接続した状態の一部切欠正面図である。
【図８】同上のカバー材の具体的な構造の他の例を示し、（ａ）は一部切欠平面図、（ｂ）は一部切欠正面図、（ｃ）は側面図である。
【図９】（ａ）は図８（ｂ）のＤ−Ｄ線断面図、（ｂ）は図８（ｂ）のＥ−Ｅ線断面図、（ｃ）は図８（ｃ）のＦ方向矢視図、（ｄ）は図８（ｃ）のＧ方向矢視図、（ｅ）は図８（ｃ）のＨ−Ｈ線断面図である。
【図１０】同上のカバー材を上下に接続した状態の一部切欠正面図である。
【図１１】従来例の外装材の接続した構造を示す斜視図である。
【図１２】（ａ）は同上の平ジョイナーの分解斜視図、（ｂ）は出隅ジョイナーの分解斜視図である。
【図１３】（ａ）は複数のカバー材を上下に並べた状態を示す概略斜視図、（ｂ）は上下の隣り合うカバー材の接続状態を示す斜視図である。
【符号の説明】
【００２５】
Ａ  ジョイナー  
１  外壁本体
２  外装材
６  ベース材
７  カバー材
８  嵌合部
９  受け部
１１  水返し部
１２  突起
１３  返り
１４  水密パッキン
【図１】
2005068882.tif 000003
【図２】
2005068882.tif 000004
【図３】
2005068882.tif 000005
【図４】
2005068882.tif 000006
【図５】
2005068882.tif 000007
【図６】
2005068882.tif 000008
【図７】
2005068882.tif 000009
【図８】
2005068882.tif 000010
【図９】
2005068882.tif 000011
【図１０】
2005068882.tif 000012
【図１１】
2005068882.tif 000013
【図１２】
2005068882.tif 000014
【図１３】
2005068882.tif 000015